(57)【特許請求の範囲】
【請求項１】
上部が開口した飲料用容器本体と、
前記飲料用容器本体の上部開口部に被着され、内部に液通孔を有する栓本体と、
前記栓本体の一端に設けられたヒンジ軸により軸支され、前記液通孔を回動自在に開閉する蓋体と、を有する飲料用容器の栓体であって、
前記ヒンジ軸は前記栓本体に設けられた栓本体ヒンジ部と、前記蓋体に設けられた蓋体ヒンジ部とを連結するもので、
前記栓本体ヒンジ部、もしくは前記蓋体ヒンジ部の一方の少なくとも左右一方には収納部を設け、
前記収納部にはトーションスプリングが収納され、
前記収納部の開口部には前記開口部を覆うカバー部材が配置され、
前記トーションスプリングと前記カバー部材は前記ヒンジ軸により前記栓本体ヒンジ部と前記蓋体ヒンジ部と一体化されると共に、前記カバー部材が前記ヒンジ軸を中心にして前記開口部に回動自在に設けられ、
前記トーションスプリングの両端部にはアーム部が備えられ、
一端部の前記アーム部が前記収納部内に設けられた固定溝に遊嵌されると共に、他端部の前記アーム部が前記カバー部材の内面に設けられた係止溝に遊嵌され、
前記カバー部材の内面が前記収納部の前記開口部に当接することにより、前記カバー部材が前記収納部の前記開口部を塞ぐと共に、前記係止溝を前記収納部の前記開口部が塞ぎ、
前記カバー部材の連結部を、前記収納部を有しない前記蓋体、もしくは前記栓本体のどちらか一方に設けられた連結受部に当接させることで前記トーションスプリングにより前記蓋体を開方向に付勢することを特徴とする飲料用容器の栓体。
【請求項２】
前記固定溝は、前記収納部の前記ヒンジ軸の方向に設けられると共に前記開口部に開口していることを特徴とする請求項１記載の飲料用容器の栓体。
【請求項３】
前記開口部に前記収納部より径大で略円形状の凹部からなるカバー受部が形成され、前記カバー部材の内面にリング状の円形リブを突設し、前記円形リブを前記カバー受部に遊嵌したことを特徴とする請求項１又は２記載の飲料用容器の栓体。
【発明の詳細な説明】
【技術分野】
【０００１】
本発明は、蓋回動機構を備えた飲料用容器の栓体に関するものである。
【背景技術】
【０００２】
一般的に、栓本体の一端に軸支された蓋体をトーションスプリングにより開方向に付勢することで、栓本体に設けられた液通孔を回動自在に開閉する飲料用容器の栓体は広く知られている。例えば、下記特許文献１には、外栓の一端に設けられた支軸により内栓がヒンジ回動自在に設けられ、内栓は支軸に設けられたトーションスプリングにより開方向に付勢された液体容器の栓体が開示されている。また、下記特許文献２にも同様に、栓体に設けられたヒンジ連結部により片開き蓋が回動自在に軸支され、ばねにより開方向に付勢されている飲料容器の栓体が開示されている。
【０００３】
しかしながら、いずれも付勢手段たるトーションスプリング等は外部に露出しており、このトーションスプリング等が金属疲労などにより折損してしまった場合、トーションスプリング等の破片が飲料容器内に落ちてしまい、誤飲してしまう虞があった。また、トーションスプリング等が外部に露出しているため、外観を損なう原因となっていた。
【０００４】
一方、容器本体の上面の少なくとも一部を覆うベース部と、前記容器本体の濡れた収納物もしくは液体を取り出すために前記ベース部に形成された開口と、前記ベース部に対してヒンジを介して取り付けられ、前記ベース部の開口を開閉する蓋体と、前記蓋体と前記ベース部との間に配置される金属製のトーションスプリングと、このトーションスプリングが外部に露出しないようにするカバー部材とを備える容器の蓋構造（例えば特許文献３）が開示されている。
【０００５】
前記容器の蓋構造では、カバー部材にはトーションスプリングの一端のアーム部を収納する凹部が設けられてはいるものの、他端のアーム部は外部に露出して容器本体側に係止するため、他端のアーム部が破損すると容器本体内部に落ちてしまう虞があった。即ち、従来のように、一端部のアーム部を容器本体に直接的に係止すると共に、他端部のアーム部を蓋体に直接的に係止した構造では、蓋体を開閉すると、両端部のアーム部の角度が変わるため、一体物のカバー部材では、両端部のアーム部を覆うことができなかった。
【先行技術文献】
【特許文献】
【０００６】
【特許文献１】特開２００１−１４９２３６号公報
【特許文献２】特開２０１２−１０６８０２号公報
【特許文献３】特開平１０−８１３５１号公報
【発明の概要】
【発明が解決しようとする課題】
【０００７】
そこで本発明は、蓋体の開閉を担うトーションスプリングの折損による誤飲を防止し、且つ、飲料用容器の外観を向上させることを目的とする。
【課題を解決するための手段】
【０００８】
請求項１の飲料用容器の栓体は、上部が開口した飲料用容器本体と、前記飲料用容器本体の上部開口部に被着され、内部に液通孔を有する栓本体と、前記栓本体の一端に設けられたヒンジ軸により軸支され、前記液通孔を回動自在に開閉する蓋体と、を有する飲料用容器の栓体であって、前記ヒンジ軸は前記栓本体に設けられた栓本体ヒンジ部と、前記蓋体に設けられた蓋体ヒンジ部とを連結するもので、前記栓本体ヒンジ部、もしくは前記蓋体ヒンジ部の一方の少なくとも左右一方には収納部を設け、前記収納部にはトーションスプリングが収納され、前記収納部の開口部には前記開口部を覆うカバー部材が配置され、前記トーションスプリングと前記カバー部材は前記ヒンジ軸により前記栓本体ヒンジ部と前記蓋体ヒンジ部と一体化されると共に、前記カバー部材が前記ヒンジ軸を中心にして前記開口部に回動自在に設けられ、前記トーションスプリングの両端部にはアーム部が備えられ、一端部の前記アーム部が前記収納部内に設けられた固定溝に遊嵌されると共に、他端部の前記アーム部が前記カバー部材の内面に設けられた係止溝に遊嵌され、前記カバー部材の内面が前記収納部の前記開口部に当接することにより、前記カバー部材が前記収納部の前記開口部を塞ぐと共に、前記係止溝を前記収納部の前記開口部が塞ぎ、前記カバー部材の連結部を、前記収納部を有しない前記蓋体、もしくは前記栓本体のどちらか一方に設けられた連結受部に当接させることで前記トーションスプリングにより前記蓋体を開方向に付勢することを特徴とする。
【０００９】
請求項２の飲料用容器の栓体は、前記固定溝は、前記収納部の前記ヒンジ軸の方向に設けられると共に前記開口部に開口していることを特徴とする。
【００１０】
請求項３の飲料用容器の栓体は、前記開口部に前記収納部より径大で略円形状の凹部からなるカバー受部を形成し、前記カバー部材の内面にリング状の円形リブを突設し、前記円形リブを前記カバー受部に遊嵌したことを特徴とする。
【発明の効果】
【００１１】
請求項１の発明によれば、収納部にトーションスプリングを収納し、一端部のアーム部を収納部に収納すると共に、他端部のアーム部を係止溝に収納することで、トーションスプリングの露出が少なくなり外観性が向上すると共に、収納部をカバー部材で隙間なく覆うことでトーションスプリングが折損した場合でも破片が収納部内に留まり、破片が収納部外に落ちることを防止できる。
【００１２】
請求項２の発明によれば、トーションスプリングを収納部に収納する際に、一端部のアーム部を開口部位置の固定溝の位置に合せて収納することで、トーションスプリングの収納の向きが決定され、トーションスプリングの収納部への組付作業を簡便に行うことができる。
【００１３】
請求項３の発明によれば、円形リブをカバー受部に遊嵌したことにより、開口部を覆うカバー部材の回動が安定する。
【図面の簡単な説明】
【００１４】
【図１】本発明の実施例１を示す飲料用容器の右側面図である。
【図２】同上、飲料用容器の縦断面図である。
【図３】同上、栓体の分解斜視図である。
【図４】同上、カバー部材、トーションスプリング、栓本体の分解斜視図である。
【図５】同上、トーションスプリングを収納した栓本体の斜視図である。
【図６】同上、カバー部材を取り付けた栓本体の斜視図である。
【図７】同上、開状態の栓体の斜視図である。
【図８】同上、カバー部材の断面を示す位置での栓体の縦断面図である。
【図９】本発明の実施例２を示す栓体が開状態のヒンジ部周りの拡大斜視図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１および図２は本発明の実施例１に係る飲料用容器１を示しており、当該飲料用容器１は、片手で持てる大きさの金属製真空断熱構造の飲料用容器本体２と、飲料用容器本体２の上部開口部３に被着される合成樹脂製の栓体４と、栓体４の下方に配設されて飲料用容器本体２に嵌合される合成樹脂製の肩部材５とを備えている。
【００１７】
飲料用容器本体２は、上部が開口した有底円筒状の外容器６と、外容器６の内部に配設され、同じく上部が開口した有底円筒状の内容器７から構成されている。外容器６と内容器７とは、上部開口部３の縁を溶接により一体に接合し、外容器６と内容器７との間隙には真空断熱層８が形成される。尚、外容器６と内容器７は、いずれもステンレス鋼（例えば、ＳＵＳ３０４）によって形成される。
【００１８】
外容器６は、上下が開口した筒状の円筒部９と、円筒部９の下部に溶接により接合される浅底円筒状の底部１０とから形成される２部品構造を有する。円筒部９は、長筒形状の外容器胴部１１と、外容器胴部１１の上方に形成された外容器胴部１１よりも径小の外容器肩部１２と、外容器肩部１２の上方に形成された外容器肩部１２よりも径小の外容器首部１３と、外容器首部１３の上方に形成された外容器首部１３よりも径小の外容器開口部１４からなる。
【００１９】
外容器肩部１２には、外側に凸形状の肩凸部１５が形成されており、肩部材５に形成された肩凹部１６を肩凸部１５に係止することで、肩部材５が外容器肩部１２に嵌合される。
【００２０】
外容器首部１３の外面には、栓体４を螺合するための雄ネジである飲料用容器本体ネジ部１７が形成されている。
【００２１】
底部１０の底面１８には、同心円状に上下３段構造の段部が形成されている。この段部は、底面１８の中央部に形成された上段部１９と、上段部１９の外周側に上段部１９よりも径大に形成された中段部２０と、中段部２０の外周側に中段部２０よりも径大に形成された下段部２１から構成されている。
【００２２】
上段部１９には、小孔状の排気孔２２が形成されると共に、その排気孔２２を封止する真空封止材２３が配設されている。排気孔２２は、外容器６と内容器７との間隙に連通しており、排気孔２２を介してこの間隙を排気した後、真空封止材２３によって排気孔２２を封止することにより、外容器６と内容器７との間隙に真空断熱層８が形成される。尚、真空封止材２３は、例えばＳｎ又はＳｎとＡｇ、Ｃｕ、Ｎｉ、ＢｉあるいはＺｎの合金からなる金属ろう材あるいはガラスろう材などを用いる。
【００２３】
下段部２１には、真空封止材２３を外部衝撃などから保護する薄円板状の保護板２４が取り付けられている。保護板２４は、プラスチックやステンレス鋼によって形成され、耐熱性接着剤などによって下段部２１に取り付けられる。
【００２４】
また、下段部２１の真空断熱層８側の面には、真空断熱層８内から発生するガスを吸着するゲッター２５が配設されている。尚、ゲッター２５は排気孔２２を塞ぐ位置でなければ、真空断熱層８内の何れの場所に配設してもよい。
【００２５】
内容器７は、縦断面が略Ｕ字形状の内容器胴部２６と、内容器胴部２６の上方に形成された内容器胴部２６よりも径小の内容器肩部２７と、内容器肩部２７の上方に形成された内容器肩部２７よりも径小の内容器首部２８と、内容器首部２８の上方に形成された内容器首部２８よりも径大であって内容器肩部２７よりも径小の内容器開口部２９から構成されている。また、内容器７の底面中央部には、上方に凹の円形凹部３０が形成されている。
【００２６】
肩部材５は、上下が開口した筒形状を有し、合成樹脂で形成されている。肩部材５の上側の端面である肩部材上端面３１は、外径方向に向かって下方に傾斜しており、後述する栓本体の下側の端面である栓本体下端面３２と当接し、肩部材５の下側の端面である肩部材下端面３３は、外径方向に向かって下方に傾斜しており、飲料用容器本体２の外容器胴部１１と外容器肩部１２の間に形成された外容器傾斜部３４に当接するように形成されている。また、この肩部材下端面３３の内径側には、縦断面視矩形状の肩部材段部８９が形成されている。さらに、肩部材５の内面には、外容器肩部１２に形成された肩凸部１５に係止する肩凹部１６が形成されている。
【００２７】
以下、栓体４について詳述する。栓体４は、外容器首部１３に螺合する栓本体３５と、栓本体３５の一側にヒンジ部３６を介して回動自在に結合された蓋体３７と、ヒンジ部３６と径方向に対向する位置である栓本体３５の他側に設けられた蓋体３７を閉状態で栓本体３５に保持するロック機構３８とを備えている。以下、ロック機構３８側を栓体４の前側、ヒンジ部３６側を栓体４の後側、ロック機構３８側から見て左側を栓体４の左側、ロック機構３８側から見て右側を栓体４の右側とする。
【００２８】
栓本体３５は、外容器首部１３の外側に螺合する略円筒形状の筒状部３９と、飲料用容器１の上部開口部３を覆う栓本体天板部４０とからなる逆有底筒形状を有し、栓本体天板部４０の前側寄りには上下が開口した円筒形状の飲み口部４１が突設されている。また、栓本体天板部４０の上面後側には倒略円筒形状の栓本体ヒンジ部４２が配設されている。また、栓本体３５は、合成樹脂で形成されている。
【００２９】
筒状部３９の内面には、外容器首部１３に形成された飲料用容器本体ネジ部１７に螺合する、雌ネジ形状の栓本体ネジ部４３が形成されている。
【００３０】
飲み口部４１は、栓本体天板部４０から略円柱形状に突設されており、飲用者が口に含むのに適した太さであって、蓋体３７に覆われる高さに形成されている。飲み口部４１の内部には、飲料用容器本体２に通じ、飲料の流路である液通孔４４が形成されている。飲み口部４１の上側の端面である飲み口部上端面４５は、後側が低くなるように傾斜していて、蓋体３７の栓本体天板部４０と略同じ角度に形成されている。
【００３１】
栓本体３５の筒状部３９の内側には、飲料用容器本体２の上部開口部３と栓体４との間を水密に止水するパッキンである栓本体シール部材４６が設けられている。この栓本体シール部材４６は、栓本体３５の内面に設けられた取付け用凹部４７に着脱可能に取り付けられている。尚、栓本体シール部材４６は、エラストマー、ゴム或いは弾性合成樹脂によって形成されている。
【００３２】
栓本体ヒンジ部４２には、左右方向にヒンジ軸４８を挿通するため貫通孔であるヒンジ軸孔４９が形成され、栓本体ヒンジ部４２の内部には、右側が開口したヒンジ軸孔４９よりも径大の略円形状の凹部である第１収納部５０が形成されている。この第１収納部５０には、蓋体３７を開方向に付勢するための金属製トーションスプリング５１が収納され、第１収納部５０の収納開口部５２は後述するカバー部材５３によって閉塞される。
【００３３】
第１収納部５０の収納開口部５２側の面である栓本体ヒンジ部端面５４には、第１収納部５０よりも径大で略円形状の凹部であるカバー受部５５が形成されており、カバー部材５３が遊嵌可能となっている。また、栓本体ヒンジ部４２の内部である第１収納部５０の下側には、トーションスプリング５１の一側アーム部５６を遊嵌する細溝形状の固定溝５７が形成されており、トーションスプリング５１を第１収納部５０に収納する際に、一側アーム部５６を固定溝５７の位置に合せて収納することで、トーションスプリング５１の収納の向きが決定される。
【００３４】
栓本体ヒンジ部４２の外面後側には、後側に凸形状の閉蓋防止突起５８が形成されており、後述する閉蓋防止板５９が閉蓋防止突起５８に当接することで、飲料用容器１を前側に傾けた場合に蓋体３７が自重で閉まらないようになっている。
【００３５】
図４に示すとおり、カバー部材５３の第１収納部５０側の面であるカバー部材内面６０には、一部が切り欠かれたリング形状の円形リブ６１が突設しており、円形リブ６１の内側には略円形状の凹部である第２収納部６２が形成されている。また、カバー部材内面６０には、円形リブ６１の切り欠かれた部分とその外側に細溝形状の係止溝６３が形成され、係止溝６３は、カバー部材内面６０側に溝開口部６３Ａを有し、カバー部材５３の外周側は閉塞している。トーションスプリング５１を第１収納部５０に収納した後、他側アーム部５６が係止溝６３に遊嵌するようにカバー部材５３を栓本体ヒンジ部４２に取り付けると、トーションスプリング５１の一部は第２収納部６２に収納され、円形リブ６１がカバー受部５５に当接し、カバー部材内面６０が栓本体ヒンジ部端面５４に当接する。この状態では、カバー部材５３は栓本体ヒンジ部４２に遊嵌しており、栓本体ヒンジ部４２に対して回動自在となっている。尚、カバー受部５５が円形リブ用受部である。
【００３６】
カバー部材５３には、係止溝６３と略垂直な方向に突出した連結部６４が形成されており、この連結部６４が蓋体３７に当接してトーションスプリング５１による付勢力を蓋体３７に伝達する。また、カバー部材５３の略中央部である第２収納部６２の内側には、ヒンジ軸４８を挿通するための貫通孔であるヒンジ軸孔４９が形成されている。したがって、栓本体ヒンジ部４２およびカバー部材５３に形成されたヒンジ軸孔４９にヒンジ軸４８を挿通すると、第１収納部５０および第２収納部６２に収納されたトーションスプリング５１の巻線内部にヒンジ軸４８が挿通されるようになっている。
【００３７】
蓋体３７は、飲み口部４１を閉口する逆有底筒状に形成され、閉蓋時に飲み口部４１の上部を封止するパッキンである蓋体シール部材６５が蓋体３７の蓋体天板部６６に嵌合されている。尚、蓋体シール部材６５は、エラストマー、ゴム或いは弾性合成樹脂によって形成されている。
【００３８】
蓋体３７の前側の面である蓋体前面部６７の下端には、前側方向に水平に立設した係合片６８が形成され、その上方には前側方向に逆Ｕ字形状に立設した係止受部６９が立設されている。
【００３９】
図３に示すとおり、蓋体３７の後側の壁である蓋体後側壁７０には、後側へ凸の略半円形状の蓋体ヒンジ部７１が左右一対に設けられ、左右の蓋体ヒンジ部７１にはヒンジ軸４８を挿通するための貫通孔であるヒンジ軸孔４９がそれぞれ形成されている。また、左右の蓋体ヒンジ部７１の間には、蓋体後側壁７０を切り欠いた切欠き部７２が形成されており、この切欠き部７２には、蓋体３７を栓本体３５に取り付けた際に、栓本体ヒンジ部４２が配置される。また、右側の蓋体ヒンジ部７１には、切欠き部７２側に突出し、カバー部材５３に形成された連結部６４が当接する連結受部７３が形成されている。尚、図８に示すとおり、カバー部材５３に突設された連結部６４と連結受部７３とは必要十分な長さで当接しており、蓋体３７を開閉する際に、連結部６４が連結受部７３から外れて空回りしないように設計されている。図８は、中心より右側にずれた、カバー部材５３の断面を示す位置での栓体４の縦断面図である。
【００４０】
また、蓋体３７内側の蓋体天板部６６の切欠き部７２側には、薄板形状の閉蓋防止板５９が立設されている。蓋体３７は、開状態の時に飲料用容器１を手前に傾けると、自重により閉まる方向に回動し始めるが、すぐに閉蓋防止板５９が閉蓋防止突起５８に当接するため、蓋体３７の自重のみでは蓋体３７が閉まらないようになっている。
【００４１】
次に、蓋体３７を栓本体３５に取り付ける手順について詳述する。まず、図５に示すように、栓本体ヒンジ部４２の第１収納部５０に収納開口部５２からトーションスプリング５１を収納する。その後、図６に示すように、収納開口部５２を閉塞するようにカバー部材５３を栓本体ヒンジ部４２に取り付ける。この時、一側アーム部５６を固定溝５７に、他側アーム部５６を係止溝６３にそれぞれ収納し、円形リブ６１をカバー受部５５に当接させ、カバー部材内面６０を栓本体ヒンジ部端面５４に当接させることにより、トーションスプリング５１を第１収納部５０および第２収納部６２に確実に収納することができる。このようにして、一側アーム部５６は、第１収納部５０内のヒンジ軸孔４９側に確実に収納され、また、他側アーム部５６は係止溝６３内に確実に収納される。尚、係止溝６３は第２収納部６２に連通しており、他側アーム部５６の一部は第２収納部６２内に収納される。そして、栓本体ヒンジ部端面５４が、収納開口部５２の開口部側端面である。
【００４２】
次に、連結部６４を連結受部７３に当接させて、蓋体３７の切欠き部７２に栓本体ヒンジ部４２を配置する。そして、ヒンジ軸孔４９にヒンジ軸４８を挿通すると、ヒンジ軸４８は、栓本体ヒンジ部４２、トーションスプリング５１、カバー部材５３、蓋体ヒンジ部７１を横貫することで、図７に示す、蓋体３７を栓本体３５に取り付けた栓体４が形成される。
【００４３】
ヒンジ軸４８は、栓本体ヒンジ部４２に形成されたヒンジ軸孔４９には嵌挿されて固定されており、蓋体３７およびカバー部材５３に形成されたヒンジ軸孔４９には遊嵌されている。そのため、蓋体３７およびカバー部材５３は、栓本体３５に対して回転自在となっており、また、カバー部材５３は栓本体ヒンジ部４２の第１収納部５０に対して回動自在に設けられる。さらに、ヒンジ軸４８はヒンジ軸孔４９に挿通した状態では、蓋体ヒンジ部７１の左右外側面である左側面７４および右側面７５から外側に突出しない程度の長さに形成されている。
【００４４】
このように、栓本体ヒンジ部４２とカバー部材５３は、蓋体ヒンジ部７１によって挟持されるため、第１収納部５０および第２収納部６２に収納されたトーションスプリング５１は、外部から視認することができない。また、栓本体ヒンジ部４２とカバー部材５３との隙間９１は、トーションスプリング５１の線径よりも狭くなるように設計されている。そのため、飲料用容器１の意匠性を向上させると共に、トーションスプリング５１が金属疲労などによって折損した場合であっても、その破片を第１収納部５０および第２収納部６２の内部に留めることができる。尚、隙間９１は前記栓本体ヒンジ部端面５４とカバー部材内面６０との間に設けられるものである。
【００４５】
以下、ロック機構３８について詳述する。ロック機構３８は、第１のロック部材であるボタンたるロックボタン７６と、第２のロック部材であるＵ字ロック７７とを備えたダブルロック構造となっている。栓本体３５の前側の面である栓本体前面部７８に配設されたロックボタン７６は、正面視円形状のボタン部７９と、ボタン部７９の上部裏面に後方に突設した係合部８０と、ボタン部７９の左右裏面に突設したボタン左壁部８１およびボタン右壁部８２とを有し、この係合部８０が蓋体３７の蓋体前面部６７に形成された係合片６８に係止することで、蓋体３７が閉状態でロックされる構造となっている。また、ボタン左壁部８１およびボタン右壁部８２の上部には、後述する支持部８３にロックボタン７６を支持するためのロック回動軸８４を挿通するロック回動軸孔８５が形成されており、ロック回動軸８４によりロックボタン７６が回動可能に支持され、この回動により上部に設けた係合部８０が前後方向に進退する。また、ロックボタン７６の下部裏面には、栓本体３５の筒状部３９との間に復帰用弾性体であるスプリング８６が配設されており、このスプリング８６により蓋体３７の係合部８０が常時ロック状態方向に付勢されている。
【００４６】
また、栓本体前面部７８にはロックボタン７６の左右と下方を取り囲むように、正面視略Ｕ字形状の支持部８３が設けられている。支持部８３の上部には、ロックボタン７６およびＵ字ロック７７を支持するロック回動軸８４を挿通するための貫通孔であるロック回動軸孔８５が、左右対称に１箇所ずつ形成されている。
【００４７】
Ｕ字ロック７７は、左右一対の腕部８７を備えた略Ｕ字形状を有し、この腕部８７の両基端部８８には、ロック回動軸８４を挿通する貫通孔であるロック回動軸孔８５が左右対称に１箇所ずつ形成されており、ロック回動軸８４を介して支持部８３に回動可能に支持されている。そして、Ｕ字ロック７７の先端が上向きの第１の位置にあるときは、Ｕ字ロック７７の先端が蓋体３７に形成された係止受部６９に外嵌して蓋体３７が閉状態でロックされる。一方、Ｕ字ロック７７の先端が下向きの第２の位置にあるときは、Ｕ字ロック７７が非外嵌のアンロック状態となり、Ｕ字ロック７７が支持部８３に外嵌するように配置される。
【００４８】
このように、ロックボタン７６と支持部８３とＵ字ロック７７に形成されたロック回動軸孔８５に挿通された１本のロック回動軸８４は、支持部８３に嵌合して固定され、ロックボタン７６およびＵ字ロック７７には遊嵌しているため、ロックボタン７６およびＵ字ロック７７は、支持部８３に対して回動自在となっている。また、ロック回動軸８４は、Ｕ字ロック７７の両外側に突出しない程度の長さに形成されている。
【００４９】
次に、蓋体３７の開閉動作について詳述する。図７は蓋体３７の開状態を示し、蓋体３７を閉状態にするには、ヒンジ軸４８を回動中心として蓋体３７を閉じるように約１８０°回動させると、係合部８０の先端が係合片６８の先端に押され、係合部８０が外側に移動するようにロックボタン７６が傾動し、さらに、蓋体３７を閉じるように蓋体３７を押圧すると、係合部８０を係合片６８が乗り越え、係合片６８に係合部８０の下部が係止状態となり、蓋体３７は栓本体３５に対して固定状態となる。そして、Ｕ字ロック７７を、ロック回動軸８４を回動中心として上方に回動し、係止受部６９にＵ字ロック７７を外嵌することで、蓋体３７が完全に閉ロック状態となる。
【００５０】
ここで、ヒンジ軸４８を回動中心として蓋体３７を閉じるように回動する時は、カバー部材５３に形成された連結部６４が連結受部７３に当接していることから、カバー部材５３もヒンジ軸４８を回動中心として蓋体３７と同方向に回動する。そうすると、カバー部材５３に形成された係止溝６３もカバー部材５３の回動に伴って回動するため、係止溝６３に収納されたアーム部５６には回動方向に応力が加えられ、トーションスプリング５１の弾性によって回動方向とは逆向きに付勢力が発生する。したがって、蓋体３７が開状態の時は、トーションスプリング５１による付勢力は発生していないが、蓋体３７を閉方向に回動し始めた状態から閉状態では、トーションスプリング５１による付勢力が蓋体３７の開方向に生じている。
【００５１】
また、蓋体３７を閉じるように回動させるとすぐに、閉蓋防止板５９が閉蓋防止突起５８に当接するが、使用者によってさらに蓋体３７が回動させられると閉蓋防止板５９は容易に閉蓋防止突起５８を乗り越えることができるようになっている。
【００５２】
一方、閉状態の蓋体３７を開状態にするには、蓋体３７に形成された係止受部６９に外嵌しているＵ字ロック７７を前側に引き、ロック回動軸８４を回動中心として下方へ回動させていき、支持部８３に外嵌させる。次に、ロックボタン７６のボタン部７９下側を押圧すると、ロックボタン７６がロック回動軸８４を回動中心として回動して、係合部８０が前側に移動して係合片６８から離脱し、ロックが解除され、この結果、トーションスプリング５１による付勢力によって蓋体３７は、ヒンジ軸４８を回動中心として開方向に回動する。そして、閉蓋防止板５９が閉蓋防止突起５８を乗り越えると、蓋体３７が開状態となる。尚、蓋体３７は、蓋体天板部６６が栓本体３５の筒状部３９の後側に当接した状態が、最大開状態である。
【００５３】
このように本実施例では、上部が開口した飲料用容器本体２と、前記飲料用容器本体２の上部開口部３に被着され、内部に液通孔４４を有する栓本体３５と、前記栓本体３５の一端に設けられたヒンジ軸４８により軸支され、前記液通孔４４を回動自在に開閉する蓋体３７と、を有する飲料用容器１の栓体４であって、前記ヒンジ軸４８は前記栓本体３５に設けられた栓本体ヒンジ部４２と、前記蓋体３７に設けられた蓋体ヒンジ部７１とを連結するもので、前記栓本体ヒンジ部４２、もしくは前記蓋体ヒンジ部７１の一方の少なくとも左右一方には収納部５０を設け、前記収納部５０にはトーションスプリング５１が収納され、前記収納部５０の開口部である収納開口部５２には前記収納開口部５２を覆うカバー部材５３が配置され、前記トーションスプリング５１と前記カバー部材５３は前記ヒンジ軸４８により前記栓本体ヒンジ部４２と前記蓋体ヒンジ部７１と一体化され、前記トーションスプリング５１の両端部にはアーム部５６が備えられ、前記アーム部５６が前記収納部５０に設けられた固定溝５７と、前記カバー部材５３に設けられた係止溝６３にそれぞれ遊嵌され、前記カバー部材５３の連結部６４を、前記収納部５０を有しない前記蓋体３７、もしくは前記栓本体３５のどちらか一方に設けられた連結受部７３に当接させることで前記蓋体３７を開方向に付勢することにより、収納部５０にトーションスプリング５１を収納することで、トーションスプリング５１の露出が少なくなり外観性が向上すると共に、収納部５０をカバー部材５３で覆うことでトーションスプリング５１が折損した場合でも破片が収納部５０内に留まり、破片が収納部５０外に落ちるリスクを低減することができる。
【００５４】
また、本実施例では、前記係止溝６３、及び前記固定溝５７が前記蓋体３７の位置に関わらず外面に露出しないことにより、トーションスプリング５１のアーム部５６が遊嵌する固定溝５７、及び係止溝６３が蓋体３７がいずれの位置にあっても外面に露出しないので、アーム部５６が折損した場合でも破片が収納部５０内に留まり、破片が収納部５０外に落ちるリスクを低減することができる。
【００５５】
また、本実施例では、前記収納部５０と前記カバー部材５３との隙間９１が、前記トーションスプリング５１の線径以下であることにより、収納部５０とカバー部材５３との隙間９１を、トーションスプリング５１の線径以下とすることで、折損した破片が飲料用容器１内に落ちてしまうことがなくなる。
【実施例２】
【００５６】
図９は本発明の実施例２を示し、上記実施例１と同一部分に同一符号を付し、その詳細な説明を省略して詳述する。この例では、栓本体ヒンジ部端面５４とカバー部材内面６０との間に隙間を設けておらず、カバー部材５３の内面６０が第１収納部５０の開口部側端面たる栓本体ヒンジ部端面５４に当接することにより、カバー部材５３が第１収納部５０の収納開口部５２を塞ぐと共に、第１収納部５０の栓本体ヒンジ部端面５４が係止溝６３の溝開口部６３Ａを塞いでいる。
【００５７】
前記第１収納部５０の収納開口部５２側の面である栓本体ヒンジ部端面５４には、第１収納部５０よりも径大で略円形状の凹部であるカバー受部５５が形成されており、このカバー受部５５にカバー部材５３の円形リブ６１が遊嵌可能となっている。また、栓本体ヒンジ部４２の内部である第１収納部５０の下側には、トーションスプリング５１の一側アーム部５６を遊嵌する細溝形状の固定溝５７が形成されており、この固定溝５７は、ヒンジ軸４８の長さ方向で第１収納部５０の略全長に形成されると共に、栓本体ヒンジ部端面５４に開口し、トーションスプリング５１を第１収納部５０に収納する際に、一端部のアーム部である一側アーム部５６を栓本体ヒンジ部端面５４において固定溝５７の位置に合せ、内部に押し込むようにして収納することで、トーションスプリング５１の収納の向きが決定される。
【００５８】
前記第１収納部５０の内径と前記円形リブ６１の内径は等しい。また、前記円形リブ６１の高さ寸法は、前記カバー受部５５の深さ寸法以下である。
【００５９】
そして、トーションスプリング５１を第１収納部５０に収納した後、他側アーム部５６が係止溝６３に遊嵌するようにカバー部材５３を栓本体ヒンジ部４２に取り付けると、トーションスプリング５１の他側の一部は第２収納部６２に収納され、カバー部材内面６０が栓本体ヒンジ部端面５４に当接する。この状態では、カバー部材５３の円形リブ６１が栓本体ヒンジ部４２のカバー受部５５に遊嵌しており、カバー部材５３が栓本体ヒンジ部４２の収納開口部５２に対して回動自在となっている。この場合、栓本体ヒンジ部端面５４に内面６０が摺動しながらカバー部材５３が回動する。尚、円形リブ６１の高さ寸法が前記カバー受部５５の深さ寸法と等しい場合は、カバー部材内面６０が栓本体ヒンジ部端面５４に当接すると、円形リブ６１がカバー受部５５に当接し、カバー部材５３が栓本体ヒンジ部４２の収納開口部５２に対して回動すると、円形リブ６１の先端がカバー受部５５の底部に摺動する。
【００６０】
次に、蓋体３７を栓本体３５に取り付ける手順について詳述する。まず、図５に示したように、栓本体ヒンジ部４２の第１収納部５０に収納開口部５２からトーションスプリング５１を収納する。その後、図６に示したように、収納開口部５２を閉塞するようにカバー部材５３を栓本体ヒンジ部４２に取り付ける。この時、一側アーム部５６を固定溝５７に、他側アーム部５６を係止溝６３にそれぞれ収納し、円形リブ６１をカバー受部５５に遊嵌し、カバー部材内面６０を栓本体ヒンジ部端面５４に当接させることにより、トーションスプリング５１を第１収納部５０および第２収納部６２に確実に収納することができ、また、一側アーム部５６は、第１収納部５０内のヒンジ軸孔４９側に確実に収納され、他側アーム部５６は係止溝６３内に確実に収納される。このように組み立てることにより栓本体ヒンジ部端面５４とカバー部材内面６０の間に隙間９１が無く、カバー部材５３により収納開口部５２が塞がれると共に、係止溝６３の溝開口部６３Ａが第１収納部５０の栓本体ヒンジ部端面５４により塞がれる。
【００６１】
このように本実施例では、請求項１に対応して、上部が開口した飲料用容器本体２と、前記飲料用容器本体２の上部開口部３に被着され、内部に液通孔４４を有する栓本体３５と、前記栓本体３５の一端に設けられたヒンジ軸４８により軸支され、前記液通孔４４を回動自在に開閉する蓋体３７と、を有する飲料用容器１の栓体４であって、前記ヒンジ軸４８は前記栓本体３５に設けられた栓本体ヒンジ部４２と、前記蓋体３７に設けられた蓋体ヒンジ部７１とを連結するもので、前記栓本体ヒンジ部４２、もしくは前記蓋体ヒンジ部７１の一方の少なくとも左右一方には収納部５０を設け、前記収納部５０にはトーションスプリング５１が収納され、前記収納部５０の開口部である収納開口部５２には前記収納開口部５２を覆うカバー部材５３が配置され、前記トーションスプリング５１と前記カバー部材５３は前記ヒンジ軸４８により前記栓本体ヒンジ部４２と前記蓋体ヒンジ部７１と一体化されると共に、カバー部材５３がヒンジ軸４８を中心にして収納開口部５２に回動自在に設けられ、トーションスプリング５１の両端部にはアーム部５６，５６が備えられ、一端部のアーム部５６が第１収納部５０内に設けられた固定溝５７に遊嵌されると共に、他端部のアーム部５６がカバー部材５３の内面たるカバー部材内面６０に設けられた係止溝６３に遊嵌され、カバー部材５３のカバー部材内面６０が第１収納部５０の収納開口部５２に当接することにより、カバー部材５３が第１収納部５０の収納開口部５２を塞ぐと共に、係止溝６３を第１収納部５０の収納開口部５２が塞ぎ、カバー部材５３の連結部６４を、収納部５０を有しない蓋体３７、もしくは栓本体３５のどちらか一方に設けられた連結受部７３に当接させることでトーションスプリング５１により蓋体３７を開方向に付勢することにより、収納部５０にトーションスプリング５１を収納し、一端部のアーム部５６を第１収納部５０に収納すると共に、他端部のアーム部５６を係止溝６３に収納することで、トーションスプリング５１の露出が少なくなり外観性が向上すると共に、収納部５０をカバー部材５３で覆うことでトーションスプリング５１が折損した場合でも破片が収納部５０内に留まり、破片が収納部５０外に落ちることを防止できる。
【００６２】
また、他端部のアーム部５６をカバー部材５３の係止溝６３に係止し、カバー部材５３に連結部６４を設けることにより、収納部５０を有しない蓋体３７、もしくは栓本体３５のどちらか一方に、合成樹脂からなる回転伝達部材たるカバー部材５３により、トーションスプリング５１の付勢力を伝達することができる。
【００６３】
また、このように本実施例では、請求項２に対応して、固定溝５７は、第１収納部５０のヒンジ軸４８の方向に設けられると共に収納開口部５２に開口しているから、トーションスプリング５１を第１収納部５０に収納する際に、一端部のアーム部５６を開口部位置の固定溝５７の位置に合せて収納することで、トーションスプリング５１の収納の向きが決定され、トーションスプリング５１の第１収納部５０への組付作業を簡便に行うことができる。
【００６４】
また、このように本実施例では、請求項３に対応して、収納開口部５２に第１収納部５０より径大で略円形状の凹部からなるカバー受部５５を形成し、カバー部材５３の内面６０にリング状の円形リブ６１を突設し、円形リブ６１をカバー受部５５に遊嵌したから、収納開口部５２を覆うカバー部材５３の回動が安定する。
【００６５】
尚、本発明は、上記実施例に限定されるものではなく、本発明の要旨の範囲内で種々の変形実施が可能である。例えば、実施例ではトーションスプリングやカバー部材などが栓本体ヒンジ部の右側に設けられているが、栓本体ヒンジ部の左側や、蓋体ヒンジ部の左右何れかに設けてもよい。また、蓋体の左右一方に収納部を設けてよいことは言うまでもない。さらに、請求項１及び２においては、カバー部材に第２収納部より径大で略円形状の凹部からなる開口部受部（円形リブ用受部）を形成し、開口部の端面にリング状の円形リブを突設し、円形リブをカバー受部に遊嵌してもよい。
【符号の説明】
【００６６】
１  飲料用容器
２  飲料用容器本体
３  上部開口部
４  栓体
３５  栓本体
３７  蓋体
４２  栓本体ヒンジ部
４４  液通孔
４８  ヒンジ軸
５０  第１収納部（収納部）
５１  トーションスプリング
５２  収納開口部（開口部）
５３  カバー部材
５５  カバー受部（円形リブ用受部）
５６  アーム部
５７  固定溝
６０  カバー部材内面（内面）
６１  円形リブ
６３  係止溝
６４  連結部
７１  蓋体ヒンジ部
７３  連結受部
９１  隙間
【図１】
0005913676.tif 000002
【図２】
0005913676.tif 000003
【図３】
0005913676.tif 000004
【図４】
0005913676.tif 000005
【図５】
0005913676.tif 000006
【図６】
0005913676.tif 000007
【図７】
0005913676.tif 000008
【図８】
0005913676.tif 000009
【図９】
0005913676.tif 000010